(57)【特許請求の範囲】
【請求項１】
コンピュータ応用装置本体と、前記装置本体に接続されるキーボードユニットとを備え、前記キーボードユニットが平板状に形成されており、一方の面に第１のキーボードが、他方の面に第２のキーボードがそれぞれ配置されたコンピュータ応用装置において、前記装置本体がコネクタを有し、前記キーボードユニットが一方の端面に設けられた第１のコンタクトと反対端面に設けられた第２のコンタクトとを有し、第１のキーボードを前記装置本体に接続するときには第１のコンタクトを前記コネクタに接触させ、第２のキーボードを前記装置本体に接続するときには第２のコンタクトを前記コネクタに接触させるようにしたことを特徴とするコンピュータ応用装置。
【請求項２】
前記装置本体へのキーボードユニットの接続が検出された場合にはキーボードユニットへの給電をオンにし、未接続が検出された場合には給電をオフにすることを特徴とする請求項１記載のコンピュータ応用装置。
【請求項３】
前記コネクタ、第１のコンタクトおよび第２のコンタクトがそれぞれ、前記いずれかのキーボードが前記装置本体に接続されたこと又はどちらのキーボードが前記装置本体に接続されたかを認識するための信号をやり取りする接続認識信号ピンを有することを特徴とする請求項１または２記載のコンピュータ応用装置。
【請求項４】
前記装置本体がコンピュータ基本ソフトウェアおよびアプリケーションプログラムを格納しており、前記装置本体に接続された第１または第２のキーボードに対応する前記コンピュータ基本ソフトウェアまたは前記アプリケーションプログラムが起動されることを特徴とする請求項１〜３のいずれかに記載のコンピュータ応用装置。
【請求項５】
前記装置本体に接続されない前記キーボードの入力が抑止されることを特徴とする請求項１〜４のいずれかに記載のコンピュータ応用装置。
【請求項６】
コンピュータ応用装置本体に接続される平板状のキーボードユニットであって、一方の面に第１のキーボードが、他方の面に第２のキーボードがそれぞれ配置され、第１のキーボードを前記装置本体に接続するための一方の端面に設けられた第１のコンタクトと、第２のキーボードを前記装置本体に接続するための反対端面に設けられた第２のコンタクトとを有することを特徴とするキーボードユニット。
【発明の詳細な説明】
【０００１】
【発明の属する技術分野】
本発明は、コンピュータとしての基本機能に特定用途のための専用機能が付加されたコンピュータ応用装置に関する。
【０００２】
【従来の技術】
近年、コンピュータ、特にパーソナルコンピュータ（以下、「パソコン」という）の低価格化、処理速度の向上、あるいはその一般性により、従来、専用機として設計されていた装置がコンピュータ応用装置として設計されるようになってきている。これにより、高い処理能力が低価格で得られるとともに、装置の開発期間が短縮され、あるいは開発環境の一般化が図られるようになった。この種のコンピュータ応用装置としては、例えばパソコンをベースに構成されたＰＯＳ（Point Of Sales）端末装置が挙げられる。
【０００３】
コンピュータ応用装置では、上述のＰＯＳ端末装置に設けられるキーボードのように、専用のキーボードを実装する場合が多く、通常は、コンピュータ（パソコン）の基本ソフトウェアであるＯＳ（Operating System）の自動立ち上げ機能を用いて、その装置に専用のアプリケーションプログラムが自動的に立ち上がるように設定されている。したがって、この種のコンピュータ応用装置は、パソコンのＯＳ操作用のキーボードを設けることなく動作可能である。
【０００４】
また、この種のコンピュータ応用装置はパソコンとしての機能も有するものであり、これをパソコンとして使用する場合、あるいは、専用のアプリケーションプログラムの動作中にパソコン用のＯＳ機能を使用して例えば漢字入力を行う場合には、従来、アルファベット等のパソコン用のキーボードと同じキーが割り付けられた専用キーボードを実装したり、あるいはパソコン用のキーボードを別途外部に接続したりして用いられていた。
【０００５】
【発明が解決しようとする課題】
しかしながら、従来のように専用キーボードでアルファベット等の入力を兼用する場合には、キー数やキー配列がパソコン用のキーボードと異なるため、特殊な入力方法をとる必要がある。このため、キー操作に慣れるまでに時間がかかり、また慣れたとしてもＪＩＳ配列のキーボードのような素早い操作は困難であり、さらには他の装置への応用が効かないという問題がある。
【０００６】
一方、パソコン用のキーボードを別途接続する場合には、通常、一番キー操作のしやすい場所に専用のキーボードが設置されているため、パソコン用のキーボードは装置の前や横に置かれることとなり操作性が悪い。また、パソコン用のキーボードを必要に応じて装置に接続する場合には、接続する際に電源を切る必要があり、装置の再立上げに時間がかかってしまう。さらに、パソコン用のキーボードを用いて装置の動作異常を調査する場合には、電源を切ってしまうとデータが消えてしまい、調査できないこともある。逆に、パソコン用のキーボードを接続したままにする場合には、専用のキーボードを使用中にパソコン用のキーボードに物が触れて誤入力の発生するおそれがある。また、パソコン用のキーボードを頻繁に使用しない場合には、パソコン用のキーボードが接続されていることに対する意識が薄くなり、誤入力に気付かないこともある。
【０００７】
また、パソコン用のキーボードは直接ＯＳの下で動作するため、装置専用のアプリケーションプログラムよりも上位で操作可能であるが、誤入力やいたずらに対しては無防備である。近年、パソコンの利用者が増えており、パソコン用のキーボードから回復不能ないたずらを受けないようにすることが望まれる。
【０００８】
さらに、この種のコンピュータ応用装置は、前述のとおり機能的にはパソコンとして使用可能であるが、専用のアプリケーションプログラムが動作することを前提に設計されているため、パソコン用のキーボードで誤って専用のアプリケーションプログラムの動作を妨げるような操作、例えば強制終了操作（Ctrl+Alt+Delete)が行われると、専用のアプリケーションプログラムによる処理が中途で打ち切られ、更新済みと更新未完のファイルが混在してしまい、ファイルの一貫性が失われるという問題がある。
【０００９】
従って本発明の目的は、特定用途のための専用機能およびコンピュータとしての基本機能を良好に操作可能なキーボードを有するコンピュータ応用装置を提供することにある。
【００１０】
【課題を解決するための手段】
上記目的は、コンピュータ基本ソフトウェアおよび前記コンピュータ基本ソフトウェア上で動作するアプリケーションプログラムを格納した装置本体と、前記アプリケーションプログラムを操作するときに前記装置本体に接続される第１のキーボードおよび前記コンピュータ基本ソフトウェアを操作するときに前記装置本体に接続される第２のキーボードを有するキーボードユニットとを備えたコンピュータ応用装置により、達成される。
【００１１】
この場合、前記キーボードユニットを平板状に形成し、一方の面には第１のキーボードを、他方の面には第２のキーボードをそれぞれ配置するのが好ましい。なお、特開平８−２７２５０８号公報には、キーボード装置の一方の面に例えばＡＳＣＩＩ配列のキースイッチを配置し、他方の面にＪＩＳ配列のキースイッチを配置した例が記載されているが、本発明のように、コンピュータ応用装置に格納されたソフトウェアやアプリケーションプログラムが複数のキーボードと連動して切り替えられる技術については開示されていない。
【００１２】
装置本体と各キーボードとの接続は、装置本体に設けられたコネクタと、キーボードユニットの一方の端面に設けられた第１のコンタクトまたは反対端面に設けられた第２のコンタクトとを接触させることにより行うのが好ましい。ここで、第１のキーボードを装置本体に接続するときには第１のコンタクトが用いられ、第２のキーボードを装置本体に接続するときには第２のコンタクトが用いられる。そして、装置本体のコネクタやキーボードユニットの第１および第２のコンタクトには、いずれかのキーボードが装置本体に接続されたこと、あるいは、どちらのキーボードが装置本体に接続されたかを認識するための信号をやり取りする接続認識信号ピンをそれぞれ配置するのがよい。
【００１３】
また、本発明に係るコンピュータ応用装置は、コンピュータ基本ソフトウェアおよび前記コンピュータ基本ソフトウェア上で動作するアプリケーションプログラムを格納した装置本体と、前記アプリケーションプログラム操作用の第１のキーボードおよび前記コンピュータ基本ソフトウェア操作用の第２のキーボードを有し前記２つのキーボードのいずれか一方が前記装置本体に接続されるキーボードユニットとを備え、前記装置本体に接続された第１または第２のキーボードに対応する前記コンピュータ基本ソフトウェアまたは前記アプリケーションプログラムが起動されるように構成される。
【００１４】
ここで、前記アプリケーションプログラムは前記コンピュータ基本ソフトウェア上で動作するものであるから、前記アプリケーションプログラムの起動は、前記コンピュータ基本ソフトウェアの起動を包含するものである。例えば、前記コンピュータ基本ソフトウェアが動作中に第２のキーボードから第１のキーボードに接続が切り替えられたときには、前記コンピュータ基本ソフトウェア上で前記アプリケーションプログラムが起動され、その後、第１のキーボードから第２のキーボードに切り替えられたときには、前記アプリケーションプログラムがクローズされて前記コンピュータ基本ソフトウェアが動作中となる。この場合、装置本体に接続されないキーボードの入力は抑止されるようにするのが好ましい。
【００１５】
さらに、本発明に係るコンピュータ応用装置は、コンピュータ基本ソフトウェアおよび前記コンピュータ基本ソフトウェア上で動作するアプリケーションプログラムを格納した装置本体と、前記アプリケーションプログラム操作用の第１のキーボードおよび前記コンピュータ基本ソフトウェア操作用の第２のキーボードを有し前記２つのキーボードのいずれか一方が前記装置本体に接続されるキーボードユニットとを備え、前記アプリケーションプログラムの動作中に前記装置本体との接続が第１のキーボードから第２のキーボードに切り替えられたとき、前記アプリケーションプログラムを動作中としたまま第２のキーボードの入力が可能となるようにされる。これは前述の装置とは異なり、前記アプリケーションプログラムの動作中に第２のキーボードを用いてデータ更新等の操作を容易とするものである。この場合、第２のキーボードの予め設定されたキー入力が抑止されるようにするのが好ましい。
【００１６】
このように構成することにより、コンピュータ応用装置に専用のキーボードの他に標準のコンピュータ用キーボードを操作しやすいように実装することができ、電源をオフせずにキーボードを切り替えることができる。また、コンピュータ用キーボードは操作以外の誤入力が起こらないように工夫されており、アプリケーションプログラムの動作を妨げることはない。さらに、コンピュータ応用装置に専用のキーボードで操作されるアプリケーションプログラムとは別に一つ又は複数のアプリケーションプログラムを格納し、コンピュータ用キーボードを用いて一般のパソコンとしてそれらを操作することができる。
【００１７】
【発明の実施の形態】
以下、本発明に係るコンピュータ応用装置の実施例として、パソコンで構成されたＰＯＳ端末装置を例にとって説明する。
図１は、ＰＯＳ端末装置の一例を示す全体図である。図示のように、本装置では、キー入力を行うキーボードユニット１、キーボードユニット１の操作に応じて各種ステータス情報や入力情報あるいは各種データを表示する主表示２、レシートやジャーナルの印字を行うプリンタ３、紙幣や硬貨を格納するキャッシュドロワ４、および店の買い物客に商品や金額を知らせる客用表示５が装置本体６に配置されている。ここでキーボードユニット１は、装置本体６から取り外し可能である。
【００１８】
図２はキーボードユニット１の一実施例を示す図であり、（ａ）はキーボードユニット１ａ側を、（ｂ）はキーボードユニット１ｂ側をそれぞれ示している。図のように、キーボードユニット１ａ側にはＰＯＳ用キーボード１０が実装されており、キーボードユニット１ｂ側にはパソコン（ＰＣ）用キーボード１３が実装されている。キーボードユニット１ａ側を図の前後方向に裏返すとキーボードユニット１ｂ側が現れる。キーボードユニット１の前後の端面中央部にはそれぞれコンタクト１１ａ、１１ｂが実装されている。これらは装置本体６との間で電源および信号を授受するための接触部分である。
【００１９】
ＰＯＳ用キーボード１０が表側にある時には、ＰＯＳ用キーボードの信号を接続するためのコンタクト１１ａが前方の端面に現れ、ＰＣ用キーボード１３が表側にある時には、ＰＣ用キーボードの信号を接続するためのコンタクト１１ｂが前方の端面に現れる。コンタクト１１ａ、１１ｂの左右には、誤挿入を防止するためのガイドと嵌合する凹部１２ａ、１２ｂ、１２ｃ、１２ｄがそれぞれ設けられている。この凹部は左右で大きさを変えてあり、左側に大きさの小さい凹部（小）１２ａ、１２ｃを、右側に大きさの大きい凹部（大）１２ｂ、１２ｄを配置する。
【００２０】
図３はキーボードユニットのコンタクトと装置本体のコネクタとの接続関係の一例を示す図であり、（ａ）は装置本体のコネクタの斜視図、（ｂ）はコンタクト１１ａの正面図、（ｃ）はコンタクト１１ｂの正面図、（ｄ）はコンタクトとコネクタの接触部断面図である。図のように、キーボードユニット１のコンタクト１１ａまたは１１ｂが、装置本体６に実装されたコネクタ２０と接続される。コンタクト１１ａは、受信用ピン１１１、送信用ピン１１２、電源用ピン１１３、接地用ピン１１４、接続認識信号ピン１１５、１１６を備え、コンタクト１１ｂは同様に、受信用ピン１２１、送信用ピン１２２、電源用ピン１２３、接地用ピン１２４、接続認識信号ピン１２５、１２６を備える。これらのピンは平らな金属板で形成されており、内部で電源および信号源に接続されている。
【００２１】
一方、コネクタ２０は、、送信用ピン２０１、受信用ピン２０２、電源用ピン２０３、接地用ピン２０４、接続認識信号ピン２０５、２０６を備える。これらのピンは接触部分が弓状のバネになっており、これらがコンタクト１１ａまたは１１ｂの板状のピンに押し付けられて接触する。コネクタ２０の左右には、前述のキーボードユニット１の凹部１２ａ、１２ｂ、１２ｃ、１２ｄに嵌合するガイドとなる凸部２１ａ、２１ｂが配置される。この凸部２１ａ、２１ｂは、左右で大きさが異なり、装置前面より左側に凸部（小）２１ａを、右側に凸部（大）を実装する。凸部（大）２１、凸部（小）２１ｂの位置と大きさは、前述のキーボードユニット１の凹部１２ａ、１２ｂ、１２ｃ、１２ｄに合わせてある。これにより、キーボードユニット１が左右を逆にして挿入されるのを防止している。
【００２２】
図４は、本ＰＯＳ端末装置の制御ブロックを示す図である。図において、パソコンシステム装置機能３０はパソコンの制御部であり、基本機能であるＣＰＵ、メモリ、ハードディスク、フロッピーディスク、表示インタフェース、キーボードインタフェース３３、マウスインタフェース、シリアルインタフェース、パラレルインタフェースを内蔵している。このパソコンの各インタフェースに主表示２、客用表示５、プリンタ３が接続される。また、プリンタ３にはキャッシュドロワ４が接続される。これにより、パソコンの機能を利用してＰＯＳ端末装置が動作する。
【００２３】
キーボードインタフェース３３には、キー入力によりパソコンシステム装置機能３０にキーデータを送出するキーボード制御部３１が接続される。キーボード制御部３１は、コネクタ２０を介してキーボードユニット１と接続される。キーボードユニット１は、キーボードの実際のキーの入力を検出するキースキャン制御部３２、ＰＯＳ用のキースイッチをマトリックス上に並べたＰＯＳ用キーボード１０、パソコン用のキーを配置したＰＣ用キーボード１３、およびコネクタ２０と電源および信号源を接続するためのコンタクト１１ａ、１１ｂを備える。
【００２４】
コンタクト１１ａ、１１ｂは、キーボードユニット１の取付ける向きにより、どちらか一方がコネクタ２０と接続される。また、コンタクト１１ａ、１１ｂには、コンタクトが接続されたことをキーボード制御部３１に認識させるための信号が配される。具体的には、前述のとおり、コンタクト１１ａ、１１ｂに、それぞれ接続認識信号ピン１１６、１２６を割り当て、コンタクト１１ａ、１１ｂ側でグランドに結線している。一方、キーボード制御部３１は、この信号をコネクタ２０を介して取入れ、抵抗で電源にプルアップしている。そして、未接続の場合にはハイレベル、接続されている場合にはローレベルとして認識する。
【００２５】
また、コンタクト１１ａとコンタクト１１ｂには、どちらのコンタクトが接続されたかを認識するための信号が配される。具体的には、前述のとおり、コンタクト１１ａ、１１ｂに、それぞれ接続認識信号ピン１１５、１２５を割り当て、コンタクト１１ａ側ではグランドに結線し、コンタクト１１ｂ側では未接続としている。キーボード制御部３１では、この信号をコネクタ２０を介して取入れ、抵抗で電源にプルアップしている。そして、コンタクト１１ａが接続された場合には、ローレベルとして認識する。また、コンタクト１１ｂが接続された場合、およびキーボードユニット１が接続されていない場合には、ハイレベルとして認識する。
【００２６】
キーボード制御部３１は、キーボードユニット１への給電を制御しており、キーボードユニット１の未接続を検出した場合には給電をオフし、接続が検出された場合には給電をオンにする。これにより、キーボードユニット１が接続されていない状態では、コネクタ２０がむき出しになった状態となるが、この状態ではコネクタ２０への給電がオフされているため、コネクタ２０への物品のぶつかりによる不用意な電源のショートを避けることができる。また、接続が安定してから、給電をオンとすることにより、接触が不安定な状態でキースキャン制御部３２が動作するのを防止することができる。
【００２７】
キースキャン制御部３２は、キーボード上のキーが押されたのを検出し、そのキーのコードをキーボード制御部３１に送出する。キーボード制御部３１は、キーコードをキースキャン制御部３２より受け取ると、キーボードインタフェース３３によりパソコンシステム装置機能３０にキーデータを送出する。パソコンシステム装置機能３０では、このキーデータをＯＳが受け取り、必要に応じてそのキーデータをアプリケーションプログラムに渡すことにより、そのプログラムを実行する。
【００２８】
図５は、キーボード制御部３１の処理手順を示すフローチャートである。キーボード制御部３１は、まずキーボードユニット１が接続されているかどうかを判定し（Ｓ１０１）、接続されていない場合はキーボードユニット１への給電をオフする（Ｓ１０２）。一方、キーボードユニット１が接続されている場合は、キーボードユニット１への給電がオンとされているかどうかを判定する（Ｓ１０３）。その結果、オフ状態であれば、キーボードユニット１への給電をオンとし（Ｓ１０４）、キースキャン制御部３２が準備完了かどうかを判定する（Ｓ１０５）。準備完了の場合は、ＰＯＳキーボードが表側にあるかどうかを判定し（Ｓ１０６）、ＰＯＳキーボードが表側にあれば、キースキャン制御部３２にＰＯＳキーボードの読取りを指示する（Ｓ１０７）。これに対して、ＰＣキーボードが表側にあれば、キースキャン制御部３２にＰＣキーボードの読取りを指示する（Ｓ１０８）。続いて、キースキャン制御部３２からのキーコードを受信したかどうかを判定する（Ｓ１０９）。キーコードが受信された場合、必要に応じキーコードの編集を行い（Ｓ１１０）、パソコンにキーボードデータを送信する（Ｓ１１１）。
【００２９】
次に、キーコードの編集処理（Ｓ１１０）の例として、図６に、キーボードの切り替えとアプリケーションプログラムの動作を連動させた処理手順のフローチャートを、図７に、アプリケーションプログラム動作中にその動作を妨げるキー入力を禁止する禁止コード処理手順のフローチャートをそれぞれ示す。
【００３０】
図６に示すように、アプリケーションプログラム連動処理では、まずＰＯＳキーボード面が表に変わったかどうかを判定する（Ｓ２０１）。ＰＯＳキーボード面が表に変わった場合、ＰＯＳのアプリケーションプログラムが動作中かどうかを判定し（Ｓ２０２）、動作中でないときはＰＯＳのアプリケーションプログラムを起動する（Ｓ２０３）。また、Ｓ２０１でＰＯＳキーボード面が表に変わっていないと判定された場合、ＰＣのキーボード面が表に変わったかどうかを判定する（Ｓ２０４）。その結果、ＰＣのキーボード面が表に変わったと判断されたときは、ＰＯＳのアプリケーションプログラムが動作中かどうかを判定し（Ｓ２０５）、動作中のときはＰＯＳのアプリケーションプログラムをクローズする（Ｓ２０６）。これにより、ＰＯＳ用のキーボードが表で、ＰＯＳのアプリケーションプログラムの動作中に、ＰＣのキーボードを操作することによる、処理の中断やファイルの誤操作を防止することができる。
【００３１】
図７の禁止コードチェック処理では、まずＰＯＳアプリケーションプログラムが動作中かどうかを判定する（Ｓ３０１）。その結果、ＰＯＳアプリケーションプログラムが動作中の場合は、キーボードから入力されたキーコードがあらかじめ登録された禁止コードかどうかを判定する（Ｓ３０２）。そして、入力されたキーコードが禁止コードのときは、そのキーコードを消去する（Ｓ３０３）。これにより、アプリケーションプログラムの動作を妨げる操作の入力を禁止することができ、アプリケーションプログラムの処理が中断されることによるファイルの不整合等の発生を防止することができる。
【００３２】
図８は、キースキャン制御部３２の処理手順を示すフローチャートである。まず、キーボード制御部３１の給電オン（図５のＳ１０４）により処理が開始され、準備完了をキーボード制御部３１に送信する（Ｓ４０１）。次に、キーボード制御部３１からキーボードのスキャンを行う面の指示が受信されたかどうかを判定する（Ｓ４０２）。受信された場合は、指示のあったキーボード面のキーをスキャンする（Ｓ４０３）。そして、キー入力があったかどうかを判定する（Ｓ４０４）。キー入力があった場合は、そのキーにあらかじめ割り当てられたキーコードをキーボード制御部３１に送信する（Ｓ４０５）。
【００３３】
これにより、キーボードユニット１が装置本体６から外れた状態では、キー入力が検出されないので、キーボードを裏返す時にキーが誤って入力されるのを防止することができる。また、キーボードユニット１を装置本体６に装着した状態では、裏側のキーボードの入力は検出されないので、裏側のキーの下に物品等が置かれ、キーが押されることによるキーの誤入力を防止することができる。
【００３４】
以上、本発明に係るコンピュータ応用装置をＰＯＳ端末装置を例にとって説明したが、本発明はこのような例に限定されるものでなく、種々変更可能なことは言うまでもない。例えば、キーボードユニットの電源の接続および信号の授受に接触型のコネクタを使用せずに、キーボードユニットに電源として電池等の給電手段を内蔵し、赤外線等の無線で送受信を行う通信手段と、キーボードが所定の位置にあることを光学式あるいは機械式センサにより検出するキーボードの取付け検出手段と、キーボードの面により位置の異なる突起あるいはへこみとそれを識別するセンサによるキーボード面の識別手段とを設けても良い。また、この給電手段と通信手段の代わりに、電源の接続と信号の授受を行うケーブルを用いても良い。
【００３５】
このように、本発明に係るコンピュータ応用装置では、キーボードユニットを裏返すだけの簡単な操作で、電源をオフすることなく、また、操作性を犠牲にすることなく、コンピュータ用のキーボードを使用することができる。また、専用のアプリケーションプログラムとキーボードを連動させることにより、アプリケーションプログラムの起動、終了を自動で行うことができる。これにより、ユーザはコンピュータ応用装置を簡単にパソコンとして利用することできる。さらに、専用のアプリケーションプログラムが動作している間に、コンピュータ用のキーボードからアプリケーションプログラムの動作を妨げようなキー入力を禁止する手段を設けることにより、アプリケーションプログラムの処理に一貫性を持たせることができる。これにより、コンピュータ用のキーボードを接続した状態での、キー操作ミスやいたずらからアプリケーションプログラムの処理が中断されるのを防ぐことができる。
【００３６】
【発明の効果】
本発明によれば、特定用途のための専用機能およびコンピュータとしての基本機能を良好に操作可能なキーボードを有するコンピュータ応用装置を得ることができる。
【図面の簡単な説明】
【図１】ＰＯＳ端末装置の一例を示す全体図である。
【図２】キーボードユニットの一実施例を示す図であり、（ａ）はキーボードユニット１ａ側を、（ｂ）はキーボードユニット１ｂ側をそれぞれ示す。
【図３】キーボードユニットのコンタクトと装置本体のコネクタとの接続関係の一例を示す図であり、（ａ）は装置本体のコネクタの斜視図、（ｂ）はコンタクト１１ａの正面図、（ｃ）はコンタクト１１ｂの正面図、（ｄ）はコンタクトとコネクタの接触部断面図である。
【図４】ＰＯＳ端末装置の制御ブロックを示す図である。
【図５】キーボード制御部の処理手順を示すフローチャートである。
【図６】キーボードの切り替えとアプリケーションプログラムの動作を連動させた処理手順を示すフローチャートである。
【図７】アプリケーションプログラム動作中にその動作を妨げるキー入力を禁止する処理手順を示すフローチャートである。
【図８】キースキャン制御部の処理手順を示すフローチャートである。
【符号の説明】
１  キーボードユニット
２  主表示
３  プリンタ
４  キャッシュドロワ
５  客用表示
１０  ＰＯＳ用キーボード
１１ａ、１１ｂ  コンタクト
１２ａ、１２ｂ、１２ｃ、１２ｄ  凹部
１３  ＰＣ用キーボード
２０  コネクタ
２１ａ、２１ｂ  凸部
３０  パソコンシステム装置機能
３１  キーボード制御部
３２  キースキャン制御部
３３  キーボードインタフェース
【図１】
0003676150.tif 000002
【図２】
0003676150.tif 000003
【図３】
0003676150.tif 000004
【図４】
0003676150.tif 000005
【図５】
0003676150.tif 000006
【図６】
0003676150.tif 000007
【図７】
0003676150.tif 000008
【図８】
0003676150.tif 000009